(57)【要約】【課題】材料ロス及び材料使用量が少ない上に梱包の手間も少なくて済むものとする。【解決手段】梱包対象である被梱包材の幅とほぼ同じ幅を有している底片１０と、該底片１０の両側縁に夫々つながる一対の側片１１と、上記底片の両端縁に夫々つながり且つ底片とほぼ同じ幅とされている一対の端片１２と、各端片における底片側とは反対側に夫々つながる一対の天片１３とで形成される。天片の両側縁間の幅が、上記一方の側片の側縁から底片を通って他方の側片の側縁に至る幅とほぼ同じである。展開状態で略長方形であるために材料ロスが非常に少ない上に、被梱包材の必要最小限の保護を行うことができる。【選択図】  図１
2004352350.tif 000002
【特許請求の範囲】
【請求項１】
梱包対象である被梱包材の幅とほぼ同じ幅を有している底片と、該底片の両側縁に夫々つながる一対の側片と、上記底片の両端縁に夫々つながり且つ底片とほぼ同じ幅とされている一対の端片と、各端片における底片側とは反対側に夫々つながる一対の天片とで形成されているとともに、天片の両側縁間の幅が、上記一方の側片の側縁から底片を通って他方の側片の側縁に至る幅とほぼ同じであることを特徴とする梱包材。
【請求項２】
端片と天片との境界から端片の両側縁に至る切れ目を備えていることを特徴とする請求項１記載の梱包材。
【請求項３】
切れ目がミシン目で形成されていることを特徴とする請求項２記載の梱包材。
【請求項４】
天片はその幅方向中央部に折り目を備えていることを特徴とする請求項２または３記載の梱包材。
【請求項５】
端片の両側縁に側片とほぼ同じ幅の片が夫々折り目を介して連続していることを特徴とする請求項１〜４のいずれかの項に記載の梱包材。
【請求項６】
天片における端片と反対側に該天片に折り重ねられる第２天片がつながっていることを特徴とする請求項１〜５のいずれかの項に記載の梱包材。
【請求項７】
第２天片における天片と反対側に、端片に折り重ねられる第２端片がつながっていることを特徴とする請求項６記載の梱包材。
【請求項８】
梱包対象である被梱包材の幅とほぼ同じ幅を有している底片と、底片の両端縁に夫々つながり且つ底片とほぼ同じ幅とされている一対の端片と、各端片における底片側とは反対側に夫々つながる一対の天片とで形成されているとともに、天片の両側縁間の幅が、上記底片及び端片の幅とほぼ同じであり、端片と天片との境界から端片の両側縁に至る切れ目を備えていることを特徴とする梱包材。
【請求項９】
梱包対象である被梱包材と、該被梱包材を覆う梱包材と、結束具とからなる梱包体であり、上記梱包材は被梱包材の幅とほぼ同じ幅を有して被梱包材の下面を覆う底片と、該底片の両側縁から夫々立ち上がって被梱包材の側面下部を覆う一対の側片と、上記底片とほぼ同じ幅で底片の両端縁から夫々立ち上がって被梱包材の端面全面を覆う一対の端片と、各端片における底片側とは反対側に夫々つながって被梱包材の上面を覆う一対の天片とからなり、該天片はその両側縁間の幅が、上記一方の側片の側縁から底片を通って他方の側片の側縁に至る幅とほぼ同じであり、前記結束具は梱包材の底片と側片と天片の外面を通って結束されたものであることを特徴とする梱包体。
【請求項１０】
梱包材はその端片と天片との境界から端片の両側縁に至る切れ目を備えて天片の端片側に端片の内側に折り込まれる折り込み部を有しており、被梱包材は上面が山形をなして梱包材の天片はその幅方向中央部の折り目で被梱包材の上面に添っていることを特徴とする請求項９記載の梱包体。
【請求項１１】
天片の幅方向中央部の折り目の一部に折り目に沿ったスリットが施されており、結束具は上記スリット上を通っていることを特徴とする請求項１０記載の梱包体。
【発明の詳細な説明】
【０００１】
【発明の属する技術分野】
本発明は被梱包材、殊に断面Ｌ字形の建材のような被梱包材を梱包するための梱包材とこの梱包材を用いた梱包体に関するものである。
【０００２】
【従来の技術】
建築外装材のような被梱包材の梱包にあたっては、被梱包材が破損しやすいものであることから、従来、箱形の梱包材を用いてこの梱包材の中に複数枚の被梱包材を重ねた状態で収納し、箱形の梱包材を接着テープを用いて閉じていた。
【０００３】
この場合、梱包材の展開面積がかなり大きいために材料コストが高くなるほか、全面包装であって被梱包材を直接視認できないことが却って被梱包材の破損を招く原因となっている。つまり被梱包材が破損しやすいものであることを荷扱い作業者が認識できずに粗雑な扱いとなり、落下などの輸送事故に遭遇するケースが多々生じている。
【０００４】
もちろん梱包材という分野においては、特開平７−２２３６２５号公報などに示された梱包材（包装箱）のように、被梱包材の全面を覆うのではなく、被梱包材の側面の一部を露出させた状態とするものもある。この場合、梱包材の展開面積が上述の箱形のものより小さくなる上に、被梱包材の一部露出が荷扱い作業者に丁寧な作業を促すことになる。
【０００５】
【特許文献１】
特開平７−２２３６２５号公報
【０００６】
【発明が解決しようとする課題】
しかし、上記公報に示されたものにおいては、その梱包材をたとえば１枚の段ボール紙から製作する場合のことを考えると、材料ロスが多く、廃材量が多くなってしまうものであった。また、材料ロスが多いということは、廃材量がゼロ乃至少量の梱包材と比較すると、被梱包材の保護という点で劣るものとなる。
【０００７】
本発明はこのような点に鑑みなされたものであって、その目的とするところは材料ロス及び材料使用量が少ない上に梱包の手間も少なくて済むために梱包コストを低減することができる梱包材及びこれを用いた梱包体を提供するにある。
【０００８】
【課題を解決するための手段】
しかして本発明に係る梱包材は、梱包対象である被梱包材の幅とほぼ同じ幅を有している底片と、該底片の両側縁に夫々つながる一対の側片と、上記底片の両端縁に夫々つながり且つ底片とほぼ同じ幅とされている一対の端片と、各端片における底片側とは反対側に夫々つながる一対の天片とで形成されているとともに、天片の両側縁間の幅が、上記一方の側片の側縁から底片を通って他方の側片の側縁に至る幅とほぼ同じであることに特徴を有している。展開状態で略長方形であるために材料ロスが非常に少ない上に、被梱包材の必要最小限の保護を行うことができる。
【０００９】
この時、端片と天片との境界から端片の両側縁に至る切れ目を備えていると、被梱包材の上面が山形をなすものにおいて、天片を被梱包材の上面に添わせることができて、梱包時の嵩を小さくすることができる上に、被梱包材の端部の上面側の角の保護を強化することができる。また、天片は端片から延長されていることから、上面形状が山形の被梱包材の頂部を確実に保護することができる。
【００１０】
上記切れ目がミシン目で形成されていてもよい。被梱包材が直方体状であっても切れ目が問題となることがなくなる上に、被梱包材の上面が山形をなすものに対しては簡単に切り離すことができる。
【００１１】
天片はその幅方向中央部に折り目を備えていると、被梱包材の上面が山形をなすものに対する梱包作業を容易に行うことができる。
【００１２】
また、端片の両側縁に側片とほぼ同じ幅の片が夫々折り目を介して連続しているものであってもよい。この場合、材料ロスをゼロにすることができる上に被梱包材の端面保護を強化することができる。
【００１３】
天片における端片と反対側に該天片に折り重ねられる第２天片がつながっているものであってもよく、この場合、被梱包材の上面を天片とこれに重ねられた第２天片とで二重に保護することができる。
【００１４】
さらに第２天片における天片と反対側に、端片に折り重ねられる第２端片がつながっていると、被梱包材の上面に加えて端面も二重に保護することができる。
【００１５】
そして本発明に係る梱包材は、梱包対象である被梱包材の幅とほぼ同じ幅を有している底片と、底片の両端縁に夫々つながり且つ底片とほぼ同じ幅とされている一対の端片と、各端片における底片側とは反対側に夫々つながる一対の天片とで形成されているとともに、天片の両側縁間の幅が、上記底片及び端片の幅とほぼ同じであり、端片と天片との境界から端片の両側縁に至る切れ目を備えていることに他の特徴を有している。材料ロスがゼロである上に材料使用量がきわめて小さくなるものであり、しかも上面が山形をなす被梱包材の梱包を適切に行うことができる。
【００１６】
そして本発明に係る梱包体は、梱包対象である被梱包材と、該被梱包材を覆う梱包材と、結束具とからなり、上記梱包材は被梱包材の幅とほぼ同じ幅を有して被梱包材の下面を覆う底片と、該底片の両側縁から夫々立ち上がって被梱包材の側面下部を覆う一対の側片と、上記底片とほぼ同じ幅で底片の両端縁から夫々立ち上がって被梱包材の端面全面を覆う一対の端片と、各端片における底片側とは反対側に夫々つながって被梱包材の上面を覆う一対の天片とからなり、該天片はその両側縁間の幅が、上記一方の側片の側縁から底片を通って他方の側片の側縁に至る幅とほぼ同じであり、前記結束具は梱包材の底片と側片と天片の外面を通って結束されたものであることに特徴を有している。梱包材の材料ロスが少ない上に、被梱包材を梱包材の底片上に置いて端片及び側片を立ち上げ、天片を被梱包材の上面に重ねて結束するだけの簡単な作業で梱包を完了することができて、梱包に要する手間も少ないものである。
【００１７】
この時、梱包材がその端片と天片との境界から端片の両側縁に至る切れ目を備えて天片の端片側に端片の内側に折り込まれる折り込み部を有し、被梱包材は上面が山形をなして梱包材の天片はその幅方向中央部の折り目で被梱包材の上面に添っていると、上面が山形をなしている被梱包材であるにもかかわらず、嵩が小さくて必要最小限の保護がなされたものを容易に得ることができる。
【００１８】
また、天片の幅方向中央部の折り目の一部に折り目に沿ったスリットが施されて、結束具が上記スリット上を通っていると、スリットによって剛性が低下しているところを結束具が通るために結束具は梱包材に食い込んだものとなり、これ故に結束具がずれて外れるような事態が生じないものである。
【００１９】
【発明の実施の形態】
以下本発明を実施の形態の一例に基づいて詳述すると、図１は建築外装材、殊に断面Ｌ字形の建築外装材を複数枚重ねたものである被梱包材９を収納保護するための梱包材１の一例を示しており、段ボール紙のような衝撃緩衝機能を備えている材料からなる上記梱包材１は、矩形状の底片１０と、底片１０の両側縁から夫々立ち上がる一対の側片１１，１１と、底片１０の両端縁から夫々立ち上がる一対の端片１２，１２と、各端片１２の先端に繋がっている一対の天片１３，１３とからなるもので、底片１０とこの周囲に位置する側片１１及び端片１２との間には夫々折り目２０が付されており、また端片１２と天片１３との間にも折り目２０が付されている。さらに天片１３の幅方向中央にも折り目２０が付されており、各天片１３を縦断する折り目２０の途中には折り目２０の方向に沿った小さなスリット２２が入れられている。
【００２０】
ここで、上記天片１３の幅Ｗ３は、展開状態における一方の側片１１と底片１０と他方の側片１１とに跨る幅Ｗ１とほぼ同じとされており、端片１２の幅Ｗ２は底片１０の幅Ｗ０と同じとされている。
【００２１】
さらに各端片１１と天片１３との境界部と、端片１１の両側縁との間には切れ目２１，２１が入れられており、該切れ目２１によって天片１３側に折り目２０を介して繋がっているものの、端片１２からは切り離された状態にある三角形状の折り込み部１４，１４が設けられている。
【００２２】
該包装材１を用いて、図２に示すように断面Ｌ字形の建築外装材を複数枚積み重ねた被梱包材９を梱包するにあたっては、展開して広げた状態にある梱包材１の底片１０上に被梱包材９を置いた状態で、側片１１及び端片１２を立ち上げるとともに、端片１２につながっている天片１３で被梱包材９の上面を覆うものであり、この時、図３に示すように、天片１３につながっている折り込み部１４は端片１２と被梱包材９の端面との間に入れる。
【００２３】
また、底片１０の下方から被梱包材９の両側を通って天片１３を跨ぐバンド３を用いて結束する。結束具としてのバンド３は天片１３毎に少なくとも１本用いて結束する。この時、バンド３が天片１３に設けたスリット２２の直上を通るようにしておけば、天片１３の幅方向中央の折り曲げ部のうち、バンド３が通された部分の剛性がスリット２０で弱くなっていることから、バンド３は天片１３の頂部（折り曲げ部）に食い込んだ状態となる。このために、バンド３を持って持ち上げた時にも、バンド３の位置ずれが生じにくく、このためにバンド３が外れてしまうようなこともない。
【００２４】
上述のように梱包を行えば、天片１３がその幅方向中央を通る折り目２０で折り曲げられた状態となって、被梱包体９の山型をなしている上面に添うものであり、また被梱包体９の長手方向端面は端片１２と折り込み部１４で覆われ、被梱包体９の底面が底片１０で覆われ、さらに被梱包体９の側面下部が側片１１で覆われた梱包体を得ることができる。
【００２５】
被梱包材９の全面を覆うものではないために、梱包材１の展開面積が小さくて済むものであり、しかも被梱包体９の上面及び底面だけでなく、端面と側面の一部を梱包材１が覆っている上に、被梱包材９の両側下縁の角も底片１０と側片１１で保護していることから、被梱包体９の必要最小限の保護を確保することができているものである。
【００２６】
加えるに、梱包材１を１枚の段ボール紙から形成する場合のことを考えると、前述のように、天片１３の幅Ｗ３が、展開状態における一方の側片１１と底片１０と他方の側片１１とに跨る幅Ｗ１とほぼ同じであることから、廃材となるのは端片１２の両側方の部分（図１中にハッチングを施した領域イ）だけとなるために、材料の使用効率が非常に高く、材料費を低減することができるとともに、廃材量も少なくてすむために、廃材の処分に要するコストも低減することができる。
【００２７】
上記梱包材１は、例えば平板状の建築外装材を積み重ねた直方体状の被梱包材９の梱包にも使用することができる。この場合、図４に示すように、折り込み部１４は端片１２と併せて被梱包体９の端面を覆い、天片１３は中央の折り目２０で折り曲げずに両側縁部を被梱包材９の幅に合わせて下方に折り曲げてバンド３で結束する。
【００２８】
なお、被梱包体９が上述の直方体である場合のことを考えれば、前記切れ目２１は例えばミシン目で形成して、必要な時のみ簡単に切り離すことができるようにしておくことが望ましい。
【００２９】
また、図示例では上記領域イを元材料から除去したものとしているが、端片１２の両側縁に折り目を介してつながるとともに、側片１１の端縁及び天片１３との間には切れ目が入れられている状態で残しておいてもよい。この場合、材料ロスがなくなって廃材がゼロとなる。この時の領域イの部分は、その一部が折り込み部１４の一部となるように切れ目２１を入れておき、折り込み部１４に含まれなかった部分を端片１２に折り重ねて梱包を行えば、領域イの部分を被梱包材９の端面保護に有効に利用することができる。
【００３０】
図５及び図６に他例を示す。これは上記実施例における天片１３の先端から該天片１３に折り重ねて使用する第２天片１５を延設して境界に折り目２０を入れたもので、この場合、被梱包材９の上面が第２天片１５とこれに重なった天片１３とで二重に覆われることになり、被梱包材９の上面保護がより確実になされることになる。
【００３１】
図７及び図８に示すように、第２天片１５の先端から更に第２端片１６と第２折り込み部１７とを延設して境界に折り目２０や切れ目２１を入れるようにしてもよい。梱包に際しては、図８に示すように、天片１３及び端片１２の内側に第２天片１６及び第２端片１７を重ねることで、被梱包材９の上面保護及び端面保護がより確実になされることになる。
【００３２】
図９に別の例を示す。これは図１に示した実施例における側片１１を無くすとともに、天片１３の幅Ｗ３を底片１０の幅Ｗ０（＝端片１２の幅Ｗ２）と同じにしたものに相当する。この場合、図１０に示すように、断面Ｌ字形の建築外装材を重ねた被梱包材９の梱包に用いた時、側片１１が無いために被梱包材９の側面が全面的に露出する上に、被梱包材９の上面も両側の部分が天片１３で覆われずに露出してしまうことになる（図１１に示すように被梱包材９が直方体状であれば上面の露出無し）が、上記幅Ｗ０，Ｗ２，Ｗ３を被梱包材９の幅よりも少し大きくしておくことによって、被梱包材９の両側下縁の角部の保護は十分行うことができる上に、梱包材１の材料ロスがゼロで展開面積も最小となることから、材料コストを最も削減することができる。
【００３３】
以上の説明での折り目２０は、必ずしも最初から付されたものである必要はなく、被梱包材９に対する梱包作業を行う過程で付されるものであってもよい。もっとも当初から折り目２０を付したものとしておく方が梱包作業に要する時間を短くすることができる。
【００３４】
【発明の効果】
以上のように本発明に係る梱包材は、展開状態で略長方形であるために材料ロスが非常に少なく、しかも被梱包材の下面と上面と端面並びに側面の少なくとも下部を覆うことができて被梱包材の保護を効果的に行うことができる。
【００３５】
特に、端片と天片との境界から端片の両側縁に至る切れ目を備えたものとすることで、上面が山形をなす被梱包材の梱包を被梱包材の上面に天片が添った状態で行うことができて、梱包時の嵩を小さくすることができる上に、被梱包材の端部の上面側の角の保護を強化することができる。
【００３６】
そして本発明に係る梱包材の他の特徴とするところによれば、被梱包材の保護の点で上記のものよりも少し劣るものになるものの、上面が山形をなす被梱包材の梱包を適切に行うことができるにもかかわらず、材料ロスがゼロである上に展開面積が最小でコストを大きく低減することができる。
【００３７】
そして本発明に係る梱包体は、梱包材の材料ロスが少なく、しかも被梱包材を梱包材の底片上に置いて端片及び側片を立ち上げ、天片を被梱包材の上面に重ねて結束するだけの簡単な作業で梱包を完了することができて、梱包に要する手間も少ないことから、梱包関連のコストが極めて低いものである。
【図面の簡単な説明】
【図１】本発明に係る梱包材の一例の展開図である。
【図２】同上の梱包途中の状態を示す斜視図である。
【図３】同上の梱包完了状態の斜視図である。
【図４】同上の異なる被梱包材を梱包した状態の斜視図である。
【図５】同上の梱包材の他例の展開図である。
【図６】同上の梱包材による梱包途中の状態の斜視図である。
【図７】同上の梱包材の更に他例の展開図である。
【図８】同上の梱包材による梱包途中の状態の斜視図である。
【図９】本発明に係る梱包材の更に別の例の展開図である。
【図１０】同上の梱包完了状態を示す斜視図である。
【図１１】同上の異なる被梱包材を梱包した状態の斜視図である。
【符号の説明】
１  梱包材
９  被梱包材
１０  底片
１１  側片
１２  端片
１３  天片
【図１】
2004352350.tif 000003
【図２】
2004352350.tif 000004
【図３】
2004352350.tif 000005
【図４】
2004352350.tif 000006
【図５】
2004352350.tif 000007
【図６】
2004352350.tif 000008
【図７】
2004352350.tif 000009
【図８】
2004352350.tif 000010
【図９】
2004352350.tif 000011
【図１０】
2004352350.tif 000012
【図１１】
2004352350.tif 000013